(57)【要約】【課題】空気膜構造体の立体形状を維持したまま当該空気膜構造体を簡単に移動させることができる移動装置を提供する。【解決手段】立体形状を構成した空気膜構造体１の立体形状を維持したまま当該空気膜構造体１を移動させるための空気膜構造体の移動装置２であって、立体形状を構成した空気膜構造体の外底面３に設けられた脚装置４と、脚装置４に設けられた走行手段６を走行させるための走行路５とを備え、脚装置４は、立体形状を構成した空気膜構造体１の外底面３に、当該空気膜構造体を移動させたい方向に沿って間隔を隔てて配置された複数の敷板と、当該複数の敷板を連結する連結構成体と、敷板の下面に取付けられた前記走行手段と、を備えた。【選択図】図１
2014005674.tif 000002
【特許請求の範囲】
【請求項１】
立体形状を構成した空気膜構造体の立体形状を維持したまま当該空気膜構造体を移動させるための空気膜構造体の移動装置であって、
立体形状を構成した空気膜構造体の外底面に設けられた脚装置と、脚装置に設けられた走行手段を走行させるための走行路とを備え、
脚装置は、立体形状を構成した空気膜構造体の外底面に、当該空気膜構造体を移動させたい方向に沿って間隔を隔てて配置された複数の敷板と、当該複数の敷板を連結する連結構成体と、敷板の下面に取付けられた前記走行手段と、を備えたことを特徴とする空気膜構造体の移動装置。
【発明の詳細な説明】
【技術分野】
【０００１】
本発明は、簡易家屋や簡易屋根等の立体形状を構成した空気膜構造体の立体形状を維持したまま当該空気膜構造体を移動させるための移動装置に関する。
【背景技術】
【０００２】
膜体で囲まれた空気室内に空気が注入されることによって、簡易家屋や簡易屋根等の立体形状を構成する空気膜構造体が知られている。
【先行技術文献】
【特許文献】
【０００３】
【特許文献１】特開平１０−１４８０４５号公報
【発明の概要】
【発明が解決しようとする課題】
【０００４】
従来、簡易家屋や簡易屋根等の立体形状を構成した空気膜構造体を移動する際には、空気膜構造体の空気室内の空気を排気して空気膜構造体を折り畳んでから移動場所に移動させた後、空気膜構造体の空気室内に空気を注入して立体形状を再構築するようにしていたので、空気膜構造体内の空気の排気及び空気膜構造体への空気の注入作業が必要となり、移動作業が煩雑になってしまうという問題点があった。
本発明は、空気膜構造体の立体形状を維持したまま当該空気膜構造体を簡単に移動させることができる移動装置を提供する。
【課題を解決するための手段】
【０００５】
本発明に係る空気膜構造体の移動装置は、立体形状を構成した空気膜構造体の立体形状を維持したまま当該空気膜構造体を移動させるための空気膜構造体の移動装置であって、立体形状を構成した空気膜構造体の外底面に設けられた脚装置と、脚装置に設けられた走行手段を走行させるための走行路とを備え、脚装置は、立体形状を構成した空気膜構造体の外底面に、当該空気膜構造体を移動させたい方向に沿って間隔を隔てて配置された複数の敷板と、当該複数の敷板を連結する連結構成体と、敷板の下面に取付けられた前記走行手段と、を備えたので、空気膜構造体の立体形状を維持したまま当該空気膜構造体を簡単に移動させることができる。また、立体形状を構成した空気膜構造体の外底面に空気膜構造体を移動させたい方向に沿って間隔を隔てて複数の敷板が配置された構成により脚装置を軽量化したので、空気膜構造体の立体形状を維持したまま当該空気膜構造体をより簡単に移動させることができる。
【図面の簡単な説明】
【０００６】
【図１】空気膜構造体及び移動装置の全体概要を示す斜視図。
【図２】脚装置及び走行路を示す斜視図。
【図３】空気膜構造体の移動装置を図１のＡ方向から見た拡大図。
【図４】脚装置の分解斜視図。
【発明を実施するための形態】
【０００７】
実施形態による空気膜構造体１の移動装置２は、簡易家屋や簡易屋根等の立体形状を構成した空気膜構造体１の立体形状を維持したまま当該空気膜構造体１を移動したい場所に移動するための装置であり、立体形状を維持した空気膜構造体１の外底面３に設けられた脚装置４と、地面等の設置面１０に形成された走行路５とを備える。
【０００８】
一例として、空気膜構造体１は、重量が３０〜２００ｇ／ｍ２、通気度が０．１ｃｃ／ｓｅｃ・ｃｍ２以下の膜材１１により構成される。膜材１１は、ポリエステル繊維、ポリアミド繊維、アラミド繊維、炭素繊維、ポリオレフィン繊維、ポリアリレート繊維等の合成繊維により形成される。
空気膜構造体１は、膜材１１で囲まれた空気室を有し、当該空気室への空気の注入によって、立体形状を維持する構造体である。例えば、図１に示すように、半円柱形状、半楕円柱形状等の内空間１９を囲む断面アーチ形状の屋根を形成する空気膜構造体１の場合、当該屋根を形成する空気膜構造体１の内側に、アーチ断面と直交する方向である屋根の延長方向に沿って等間隔に複数のアーチ状の仕切膜材１２が設けられており、当該仕切膜材１２を介して屋根の延長方向に沿って隣接する複数の空気室１３に空気が注入されることによって、複数の半弧状の空気室１３が屋根の延長方向に沿って隣接して設けられてなる断面アーチ形状の屋根が形成される。各仕切膜材１２には複数の空気流通孔１４が形成されており、例えば、屋根の延長方向に沿って隣接する複数の空気室１３のうちの１つ以上に外部から空気を供給することにより、仕切膜１２の空気流通孔１４を経由して全ての空気室１３に空気が供給されて断面アーチ形状の屋根が形成される。例えば、当該断面アーチ形状の屋根の高さ寸法は８ｍ程度、屋根の左右幅寸法Ｗは３０ｍ程度、屋根の延長方向の長さ寸法Ｌは３０ｍ程度である。
【０００９】
脚装置４は、鉄板、合成樹脂等の板材により形成され、空気膜構造体１を移動させたい方向に沿って間隔を隔てて設けられた複数の敷板４１と、空気膜構造体１を移動させたい方向に沿って間隔を隔てて設けられた複数の敷板４１同士を連結する連結構成体４２と、敷板４１の下面４３（図３参照）に取付けられた走行手段６と、を備える。
【００１０】
図４に示すように、連結構成体４２は、例えば、複数の敷板４１上に跨って配置される連結棒体４４と、連結棒体４４と敷板４１とを連結する連結手段４５とで構成される。連結手段４５として、キャッチクランプと呼ばれるクランプ（締め具）４５Ａを用いれば、脚装置４の解体作業が容易となるので好ましいが、溶接を用いてもよい。
【００１１】
敷板４１は、例えば、断面アーチ形状の屋根を形成した空気膜構造体１を移動させる場合、断面アーチ形状の屋根のアーチの両脚部１５；１５の外底面（下面）３；３において、屋根の延長方向に沿って間隔を隔てて複数枚設けられる。例えば、屋根の各脚部１５；１５の外底面３；３において、屋根の延長方向に沿った方向の一端部と他端部とにそれぞれ敷板４１が１枚ずつ設けられ、かつ、屋根の延長方向に沿った方向の中央部に敷板４１が１枚設けられる（図２参照）。
例えば、空気膜構造体１の屋根の延長方向の長さ寸法Ｌが３０ｍ程度である場合、屋根の延長方向に沿った方向の幅が１．５ｍ程度で、かつ、屋根の左右幅方向に沿った方向の幅が屋根の脚部１５を脚部１５の左右幅方向に跨る長さに形成された長方形の敷板４１が、屋根の延長方向に沿った方向に一定間隔隔てて屋根の延長方向に沿った方向に一列に並ぶように３枚配置される（図２参照）。そして、この３枚の敷体４１が、連結構成体４２により連結される。
【００１２】
連結棒体４４としては、例えば、断面円形の鋼管が用いられる。連結棒体４４は、例えば、脚部１５の外底面３における左右幅方向の両端部および当該左右幅方向の中央部に対応するように、各敷板４１の左右の側縁に沿って延長するように各敷板４１の左右の側縁側の板上にそれぞれ１本ずつ設けられて連結手段４５により各敷板４１に連結されるとともに、各敷板４１の左右の中央部の板上に１本設けられて連結手段４５により各敷板４１に連結される（図２参照）。
【００１３】
走行手段６の走行体としては、例えば、無限軌道６１（キャタピラー（登録商標））、又は、車輪が用いられる。
走行路５は、走行手段６の走行体が走行可能な平面により形成される。
例えば、図３；４に示すように、走行路５を、地面等の設置面１０に設置したＨ形鋼の一方のフランジ５１の外面５２で構成し、走行手段６を、フランジ５１の外面５２上を転動する無限軌道６１とフランジ５１の両側縁の横に位置する脱落規制ガイド６２とを備えたチルタンクと呼ばれる走行装置で構成する。尚、フランジ５１に脱落規制ガイドを設けても良い。
【００１４】
そして、例えば、図１；３に示すように、空気膜構造体１の脚部１５の表面に設けられた取付帯紐のような連結体４６を連結棒体４４に連結することにより、立体形状を構成した空気膜構造体１の脚部１５の外底面３にそれぞれ脚装置４が取付けられる。
【００１５】
実施形態による移動装置２によれば、脚部１５の外底面３に脚装置４を備えた空気膜構造体１の屋根等の立体形状を維持したまま当該空気膜構造体１移動させる場合、敷板４１を走行路５の延長方向に沿った方向に移動させることで走行手段６の走行体が走行路５上を走行するので、空気膜構造体１を簡単に移動させることができる。
【００１６】
さらに、立体形状を構成した空気膜構造体１の外底面３に空気膜構造体１を移動させたい方向に沿って間隔を隔てて複数の敷板４１が配置された構成の脚装置４を備えたので、脚装置４の軽量化が図れ、空気膜構造体１の立体形状を維持したまま当該空気膜構造体１をより簡単に移動させることができるようになる。
【００１７】
本発明の移動装置は、廃棄物処理場の移動屋根、移動式建設現場の移動屋根、移動式仮設展示場の移動屋根等の立体形状を構成する空気膜構造体１を用いる場合において、当該移動屋根等の立体形状を維持したまま当該空気膜構造体１を移動させる場合の移動装置として利用できる。
【００１８】
空気膜構造体１は、ドーム屋根を形成する空気膜構造体であってもよい。
また、設置面１０に板やコンクリート等で形成された平面を形成して当該平面を走行路５として利用してもよい。
【符号の説明】
【００１９】
１  空気膜構造体、２  移動装置、３  外底面、４  脚装置、５  走行路、
６  走行手段、４１  敷板、４２  連結構成体、４３  敷板の下面。
【図１】
2014005674.tif 000003
【図２】
2014005674.tif 000004
【図３】
2014005674.tif 000005
【図４】
2014005674.tif 000006